【事件の表示】
　特願２０１１−５１０５７２「モバイルＷＩＭＡＸの三元ダウンリンクの並行処理および三元ハンドオーバーのための方法およびシステム」拒絶査定不服審判事件〔平成２１年１１月２６日国際公開、ＷＯ２００９／１４２９４２、平成２３年　８月　４日国内公表、特表２０１１−５２３２８０〕について、次のとおり審決する。
【結　論】
　本件審判の請求は、成り立たない。
【理　由】
第１　手続の経緯
　本願は，２００９年５月１１日（パリ条約による優先権主張外国庁受理　２００８年５月１９日　米国）を国際出願日とする出願であって，平成２５年６月２０日付けで拒絶査定がなされ，これに対し，同年１０月２５日に拒絶査定に対する審判請求がなされるとともに同日付けで手続補正がなされたものである。
　
　
第２　補正却下の決定
［結論］
　平成２５年１０月２５日付けの手続補正を却下する。
　
［理由］
１　本願発明と補正後の発明
　平成２５年１０月２５日付けの手続補正（以下，「本件補正」という。）は，平成２５年４月２６日付け手続補正書により補正された特許請求の範囲の請求項１に記載された
「【請求項１】
　第１の基地局と第１の接続を確立することと，ここにおいて，前記第１の接続は，直交周波数分割多重接続（OFDMA）フレームの第１のセグメントに基づいて第１の信号を使用するデータ伝送のためのものであり，
　第２の基地局と第２の接続を確立することと，ここにおいて，前記第２の接続は，前記OFDMAフレームの第２のセグメントに基づいて第２の信号を使用するデータ伝送のためのものであり，および
　前記OFDMAフレームによって区切られたある時間内に前記第１および第２の接続によって前記第１および第２の基地局とデータを交換することと，ここにおいて，前記第１および第２のセグメントは，異なるダウンリンク（ＤＬ）データを有するものであること，
　を具備するワイヤレス通信の方法。」
という発明（以下，「本願発明」という。）を，
「【請求項１】
　第１の基地局と第１の接続を確立することと，ここにおいて，前記第１の接続は，直交周波数分割多重接続（OFDMA）フレームの第１のセグメントに基づいて第１の信号を使用するデータ伝送のためのものであり，
　第２の基地局と第２の接続を確立することと，ここにおいて，前記第２の接続は，前記OFDMAフレームの第２のセグメントに基づいて第２の信号を使用するデータ伝送のためのものであり，および
　前記OFDMAフレームによって区切られたある時間ドメイン内に前記第１および第２の接続によって前記第１および第２の基地局とデータを交換することと，ここにおいて，前記時間ドメインは，サブチャネルにしたがって周波数ドメインにおいて前記第１および第２のセグメントに分割されており，前記第１および第２のセグメントは，異なるダウンリンク（ＤＬ）データを有するものであること，
　を具備するワイヤレス通信の方法。」
という発明（以下，「補正後の発明」という。）に変更することを含むものである。
　
２　補正の適否
（１）新規事項の有無，シフト補正の有無，補正の目的要件
　上記補正は，願書に最初に添付した明細書，特許請求の範囲又は図面に記載した事項の範囲内において，本願発明の「前記OFDMAフレームによって区切られたある時間内」を「前記OFDMAフレームによって区切られたある時間ドメイン内」に限定するととも，当該「時間ドメイン」に関して「前記時間ドメインは，サブチャネルにしたがって周波数ドメインにおいて前記第１および第２のセグメントに分割されており」との限定を付して，特許請求の範囲を減縮するものである。
　したがって，上記補正は，特許法第１７条の２第３項及び第４項の規定に適合することは明らかであり，また，同法第１７条の２第５項第２号に掲げる特許請求の範囲の減縮を目的とするものに該当する。
　
（２）独立特許要件
　上記補正は，特許請求の範囲の減縮を目的とするものであるから，補正後の発明が特許出願の際独立して特許を受けることができるものであるのか否かについて，以下検討する。
　
ア　補正後の発明
　上記「１　本願発明と補正後の発明」の項の「補正後の発明」のとおりのものと認める。
　
イ　引用発明
［引用発明１］
　原査定の拒絶の理由に引用された米国特許出願公開第２００５／０２８８０２０号明細書（以下，「引用例１」という。）には，「Apparatus and method for supporting handover in a broadband wireless access communication system」（［当審仮訳］：広帯域無線接続通信システムにおけるハンドオーバーを支援するための装置及び方法）に関し，図面とともに以下の事項が記載されている。
　
（ア）「[0009] FIG.1 is a block diagram schematically illustrating the cell structure of a general IEEE 802.16e communication system.」（１ページ左欄）
（［当審仮訳］：
[0009]　 図１は，一般的なIEEE802.16e通信システムのセル構造を示すブロック図である。）
　
（イ）「[0026] FIG. 3  is a diagram for schematically illustrating the frame structure of a normal IEEE 802.16e communication system. 
[0027] First, the frame includes a Downlink frame (DL frame) and an Uplink frame (UL frame). The downlink frame includes a preamble area, a broadcasting control area and a data transmission area. The broadcasting control area includes a downlink MAP (DL-MAP) area and an uplink MAP (UL-MAP) area. The data transmission area may be classified into a partial-usage-of-subchannels (PUSC) area and a full-usage-of-subchannels (FUSC). The PUSC subchannel and the FUSC subchannel may be distinguished by time division in the same frame. In addition, the uplink frame includes an FUSC area and a PUSC area.  FIG. 3  illustrates a frame structure for sub-carrier allocation of a sector using a downlink PUSC, a downlink FUSC and an uplink PUSC. 
[0028] 　（省略）
[0029] The PUSC area represents data burst including subchannels based on a PUSC scheme, and the FUSC area represents data burst areas including subchannels based on a FUSC scheme. 
[0030] According to the PUSC scheme, each sector allocates and uses only partial subchannels of the whole subchannels. When the PUSC scheme is employed, the frequency reuse factor becomes larger than 1. Therefore, PUSC areas different from each other are allocated to the sectors of two neighbor cells so as to avoid mutual interference between sectors. However, it is problematic when two BSs allocate an MSS located at a cell boundary with a PUSC area having the same sub-carrier. 」（２ページ右欄〜３ページ左欄）
（［当審仮訳］：
[0026]　図３は，通常のIEEE802.16e通信システムのフレーム構造を説明するための図である。
[0027]　まず，フレームは，ダウンリンクフレーム（「DLフレーム」）と，アップリンクフレーム（「ULフレーム」）を含む。ダウンリンクフレームは，プリアンブル領域と，ブロードキャスティング制御領域とデータ伝送領域を含む。ブロードキャスティング制御領域は，ダウンリンクMAP（「DL-MAP」）の領域とアップリンクMAP（「UL-MAP」）領域を含む。データ伝送領域は，サブチャネルの部分使用（「PUSC」）領域及びサブチャネルの全部使用（「FUSC」）領域に分類することができる。PUSCサブチャンネルと FUSCサブチャンネルは，同じフレーム内に時分割で区別することができる。また，アップリンクフレームは，１つのFUSC領域と１つのPUSC領域を含む。図３は，ダウンリンクPUSC，ダウンリンクFUSC，及びアップリンクPUSCを使用する１つのセクターのサブキャリア割り当てのためのフレーム構造を示す。
[0028]　（省略）
[0029]　PUSC領域は，PUSC方式に基づくサブチャンネルを含むデータバーストを表し，FUSC領域は，FUSC方式に基づくサブチャンネルを含むデータバースト領域を表す。
[0030]　PUSC方式によれば，各セクターは，全体サブチャネルの一部のみのサブチャネルを割り当てられ使用する。PUSC方式を採用する場合は，周波数再使用係数が１よりも大きくなる。このため，セクター間の相互干渉を回避するように，相互に異なるPUSC領域が２つの隣接セルのセクターに割り当てられる。しかしながら，セル境界に位置するMSSに２つのBSが同一のサブキャリアを有するPUSC領域を割り当てるとき，それは問題である。）
　
（ウ）「[0053] The present invention provides an apparatus and method for providing a soft handover in an Orthogonal Frequency Division Multiple Access (OFDMA) communication system. The present invention proposes a data burst transmission/reception method and system for supporting the soft handover. 
[0054] In addition, the present invention employs PUSC subchannels to provide a soft handover. That is, each cell classifies the whole subchannels into a plurality of subchannel sets and allocates each of the subchannel sets to the PUSC area of each sector. 
[0055] It should be noted that the present invention may be applied to downlink and uplink cases. 
[0056] First, in the case of a downlink, all sectors included in an active set select the same number of PUSC subchannels to allocate a Mobile Subscriber Station (MSS). In the description of the present invention, the active set is defined as a set of sectors that currently provide wireless channels for data communication with an MSS. The MSS receives all the downlink signals transmitted through each PUSC subchannel area. In this case, all of the signals transmitted through the PUSC subchannel area include the same information, to which the same modulation scheme and the same coding scheme are applied. Therefore, the MSS performs soft combining of all transmission signals of each sector that have been received according to each PUSC subchannel. 」（４ページ右欄）
（［当審仮訳］：
[0053]　本発明は，直交周波数分割多元接続（OFDMA）通信システムにおけるソフトハンドオーバーを提供するための装置及び方法を提供する。本発明は，ソフトハンドオーバーを支援するためのデータバースト送信／受信方法及びシステムを提案する。
[0054]　また，本発明は，ソフトハンドオーバーを提供するために，PUSCサブチャネルを採用する。すなわち，各セルは，全てのサブチャンネルを複数のサブチャネルの組に分類し，それぞれのサブチャネルの組を各セクターのPUSC領域に割り当てる。
[0055]　本発明は，ダウンリンク及びアップリンクの場合に適用され得ることに留意すべきである。
[0056]　まず，ダウンリンクの場合には，アクティブセットに含まれる全てのセクターは，モバイル加入者局（MSS）に割り当てる同じ数のPUSCサブチャネルを選択する。本発明の説明において，アクティブセットは，現在MSSとのデータ通信のための無線チャンネルを提供しているセクターの組として定義される。MSSは，各PUSCサブチャンネル領域を介して伝送される全てのダウンリンク信号を受信する。この場合，PUSCサブチャンネル領域を介して伝送される全ての信号は同じ情報を含み，同じ変調方式と同一の符号化方式が適用される。したがって，MSSは，各PUSCサブチャネルにより受信された各セクターの全ての伝送信号のソフト合成を行う。）
　
（エ）「[0063] FIGS.4A to 4D are diagrams schematically illustrating a PUSC allocation scheme for the soft handover in a communication system according to an embodiment of the present invention. 
[0064] FIGS.4A and 4B show a case in which an MSS410 moves from an α sector421 of cell#1 420 , which is a service coverage of a BS1 (i.e., serving BS), to a γ sector433 of cell#2 430 , which is a service coverage of a BS2 (i.e. target BS). In this case, the MSS410 in the αsector421 of cell#1 420 uses only one PUSC subchannel of the PUSC area allocated to the α sector421. Thereafter, the MSS410 moves to a boundary area of the γsector433 of cell#2 430  and initiates a soft handover. 
[0065] When the soft handover is initiated, one PUSC subchannel from among the PUSC area of the γsector433 of cell#2 430 is additionally allocated to the MSS410 in the downlink. During the soft handover, the MSS410 is allocated with different downlink PUSC subchannels from the αsector of cell#1 and the γsector of cell#2. That is, the MSS410 receives signals via two distinct PUSC subchannels, and performs soft combining of the two received signals. 
[0066] Meanwhile, when the soft handover is initiated, an allocated PUSC subchannel area changes from the αsector421 of cell#1 420 to the γsector433 of cell#2 430 in the uplink. That is, in the case of FIG.4B , the γsector433 of cell#2 430 is additionally included in the active set, thereby being a master sector. Herein, the latest-registered sector in the active sector is may be determined as the master sector . 
[0067] Therefore, during the soft handover, data are transmitted through the PUSC subchannel area of the γsector433 of cell#2 430 , which is the master sector. In this case, the αsector421  of cell#1 420 can understand the PUSC subchannel, which the MSS410 will use, through network signaling with the γsector433 of cell#2 430 before performing transmission to the MSS410. Therefore, the αsector421 of cell#1 420, too, can receive and demodulate a transmission signal of the MSS410. 
[0068] Thereafter, two signals received and demodulated by the αsector421 of cell#1 420 and the γsector433 of cell#2 430, respectively, are transmitted to the BSC. Then, the BSC selects the signal with the better reception state. In this case, a selection criterion may be a cyclic redundancy check (CRC) bit included in each message. 
[0069] FIG.4C shows a diagram for explaining a PUSC subchannel allocation scheme according to an alternative embodiment of the present invention. That is, FIG.4C shows the case in which the same soft handover operation as that shown in FIG.4B is performed but MAP information elements for appointing a downlink data burst position are different from those of FIG.4B. 
[0070] To be specific, in the case shown in FIG.4B, information elements (IEs) included in a downlink MAP (DL_MAP) message in the IEEE 802.16e system are used as MAP IEs for appointing a downlink data burst position. In this case, the DL_MAP IEs can appoint a position for a data burst in a corresponding PUSC subchannel area. 
[0071] The IEs included in the DL_MAP message will now be described schematically with reference to Table 1.  
（Table 1は省略。）
[0072] As shown in Table1, the DL_MAP message includes a plurality of IEs, that is, the Management Message Type indicating the type of a transmitted message, the PHY (PHYsical) Synchronization field set according to a modulation scheme and a demodulation scheme applied to a physical channel to obtain synchronization, the DCD count indicating the configuration variation of a downlink channel descript (DCD) message containing a downlink burst profile, and the Base Station ID indicating a base station identifier. In addition, the DL_MAP message may include an IE of Number of DL_MAP Elements n indicating the number of elements existing after the Base Station ID. In addition, although it is not shown in Table, the. DL_MAP message contains information about ranging codes allocated to each ranging. 
[0073] In the case of  FIG.4C , not only the DL_MAP IEs, but also Data location in another BS IEs of the IEEE 802.16 system are used as MAP IEs for appointing a data burst position. In this case, the DL_MAP IEs are used to appoint a position for a data burst in the corresponding PUSC subchannel area, and the Data location in another BS IEs is used to appoint a position for a data burst in another PUSC subchannel area. 」（５ページ左欄〜右欄）
（［当審仮訳］：
[0063]　図４Ａ〜図４Ｄは，本発明の実施形態による通信システムにおけるソフトハンドオーバーのためのPUSC割り当て方式を説明している。
[0064]　図４Ａ及び図４Ｂは，BS1（すなわちサービングBS）のサービス範囲であるセル＃１ 420のαセクター421から，BS2（すなわちターゲットBS）のサービス範囲であるセル＃２ 430のγセクター433に，MSS410が移動する場合を示すものである。この場合，セル＃１ 420のαセクター421にいる MSS410は，αセクター421に割り当てられたPUSC領域の１つのPUSCサブチャンネルのみを使用する。その後，MSS410はセル＃２ 430のγセクター433の境界領域に移動し，ソフトハンドオーバーを開始する。
[0065]　ソフトハンドオーバーが開始されると，セル＃２ 430のγセクター433のPUSC領域の中からの１つのPUSCサブチャネルが，ダウンリンクにおいてMSS410に追加的に割り当てられる。ソフトハンドオーバー中に，MSS410は，セル＃１のαセクター及びセル＃２のγセクターからの異なるダウンリンクPUSCサブチャネルが割り当てられる。すなわち，MSS410は，２つの異なるPUSCサブチャネルを介して信号を受信し，２つの受信信号のソフト合成を行う。
[0066]　一方，ソフトハンドオーバが開始されると，アップリンクでは，割り当てられたPUSCサブチャネル領域は，セル＃１ 420のαセクター421から，セル＃２ 430のγセクター433に変化する。すなわち，図４Ｂの場合，セル＃２ 430のγセクター433は，追加的にアクティブセットに含められて，マスターセクターとなる。アクティブセクターの中で最も新しく登録されたセクターが「マスターセクター」として決定され得る。
[0067]　したがって，ソフトハンドオーバー中，データは，マスターセクターであるセル＃２ 430のγsector433のPUSCサブチャネル領域を介して送信される。この場合，セル＃１ 420のαsector421は，MSS410へ送信を行う前に，セル＃２ 430のγsector433とのネットワークシグナリングを介して，MSS410が使用するPUSCサブチャンネルを理解できる。したがって，セル＃１ 420のαsector421も，MSS410の送信信号を受信し復調することができる。
[0068]　その後，セル＃１ 420のαsector421及びセル＃２ 430のγsector433によりそれぞれ受信され復調された２つの信号がBSCに送信される。そして，BSCは，より良い受信状態で信号を選択する。この場合，選択基準は，各メッセージに含まれる巡回冗長検査（CRC）ビットとし得る。
[0069]　図４Ｃは，本発明の他の実施形態に係るPUSCサブチャネル割り当て方式を説明するための図である。すなわち，図４Ｃは，図４Ｂと同じソフトハンドオーバー動作が実行されるが，ダウンリンクデータバーストの位置を指定するためのMAP情報要素が図４Ｂとは異なる場合を示している。
[0070]　具体的には，図４Ｂに示されている場合には，IEEE802.16e通信システムにおけるダウンリンクMAP（DL_MAP）メッセージに含まれる情報要素（IEs）は，ダウンリンクデータバーストの位置を指定するためのMAP IEsをとして使用される。この場合，DL_MAP IEsは，対応するPUSCサブチャンネル領域におけるデータバーストのための位置を指定できる。
[0071]　DL_MAPメッセージに含まれるIEsを表１を参照して概略的に説明する。
（表１は省略。）
[0072]　表１に示すように，DL_MAPメッセージは複数のIEs，すなわち，送信されたメッセージのタイプを示す「管理メッセージタイプ」，物理チャンネルに適用される変調方式及び復調方式に応じて同期を得るように設定される「PHY（物理）の同期化」フィールド，ダウンリンクバーストプロファイルを含むダウンリンクチャネル記述（DCD）メッセージの構成変化を示す「DCDカウント」，及び基地局識別子を示す「基地局ID」を含む。加えて，DL_MAPメッセージは，基地局IDの後に存在しているエレメントの数を示す「DL_MAPエレメントの個数n」のIEを含むことができる。加えて，表には示していないが，DL_MAPメッセージは，各レンジングに割り当てられたレンジングコードに関する情報が含む。
[0073]　図４Ｃの場合は，DL_MAP IEsだけでなく，IEEE802.16システムの「他のBS IEsでのデータ位置」もまたデータバーストの位置を指定するためのMAP IEsをとして使用される。この場合，DL_MAP IEsは，対応するPUSCサブチャンネル領域におけるデータバーストの位置を指定するために使用され，「他のBS IEsでのデータ位置」は，別のPUSCサブチャンネル領域におけるデータバーストの位置を指定するために使用される。）
　
　上記（ア）〜（エ）の記載及び図面並びに当業者の技術常識を考慮すると，
ａ　上記（ア）及び（ウ）の[0053]の記載並びに図１によれば，引用例１はIEEE802.16e通信システム，すなわち，直交周波数分割多元接続（OFDMA）通信システムおける，ワイヤレス通信の方法について記載されているといえる。
　
ｂ　上記（エ）の[0064]の記載によれば，BS1のサービス範囲であるセル＃１ 420のαセクター421から，BS2のサービス範囲であるセル＃２ 430のγセクター433に，MSS410が移動するものであり，[0065]の記載によれば，セル＃１のαセクター及びセル＃２のγセクターからの２つの異なるダウンリンクPUSCサブチャネルを介して信号を受信するものである。ここで，無線通信の技術分野においては，セルがセクターに分割されている場合は，実質的にセクター毎に独立したアンテナなどの送受信系統を有することは技術常識である。そして，信号を受信するには，当然，BSのセクター毎の送受信系統との接続を確立していることも技術常識に照らして自明である。
　また，IEEE802.16eにおいては，上記（イ）の[0027]及び図３にも示されるように，OFDMAフレームを構成するダウンリンクフレーム（「DLフレーム」）の一部はPUSC領域とされており，上記（ウ）の[0054]及び図４Ｂ，図４Ｃにも示されるように，全てのサブチャンネルを複数のサブチャネルの組に分類し，それぞれのサブチャネルの組を各セクターのPUSC領域に割り当てているものである。すなわち，BS1のαセクターの送受信系統との接続は，直交周波数分割多重接続（OFDMA）フレームのαセクターに割り当てられたPUSCサブチャネルが用いられ，BS2のγセクターの送受信系統との接続は，直交周波数分割多重接続（OFDMA）フレームのγセクターに割り当てられたPUSCサブチャネルが用いられることは明らかである。
　したがって，引用例１には，「BS1のαセクターの送受信系統との接続を確立することと，ここにおいて，前記BS1のαセクターの送受信系統との接続は，直交周波数分割多重接続（OFDMA）フレームのαセクターに割り当てられたPUSCサブチャネルによるものであり，BS2のγセクターの送受信系統との接続を確立することと，ここにおいて，前記BS2のγセクターの送受信系統との接続は，前記OFDMAフレームのγセクターに割り当てられたPUSCサブチャネルによるものである」ことが記載されていると認められる。
　
ｃ　上記（エ）の[0065]の記載によれば，MSS410は，BS1のαセクターの送受信系統との接続およびBS2のγセクターの送受信系統との接続によって前記BS1のαセクターの送受信系統およびBS2のγセクターの送受信系統とデータを交換することは明らかである。そして，当該データの交換に係るサブチャネルはPUSC領域に関して割り当てられているものであるから，OFDMAフレームによって区切られたPUSC領域内にて前記データの交換がなされることは明らかである。
　また，上記ｂのとおり，IEEE802.16eにおいては，上記（ウ）の[0054]及び図４Ｂ，図４Ｃにも示されるように，PUSC領域では，周波数領域においてサブチャネルにしたがって各セクターに対応したサブチャネルの組に分割されている。
　したがって，引用例１には，「前記OFDMAフレームによって区切られたPUSC領域内に前記BS1のαセクターの送受信系統との接続およびBS2のγセクターの送受信系統との接続によって前記BS1のαセクターの送受信系統およびBS2のγセクターの送受信系統とデータを交換することと，ここにおいて，前記PUSC領域は，サブチャネルにしたがって周波数領域において各セクターに対応したサブチャネルの組に分割されている」ことが記載されていると認められる。
　
ｄ　上記（ウ）の[0053]，[0056]の記載によれば，引用例１にはソフトハンドオーバーに関する事項が記載されており，各PUSCサブチャンネル領域を介して伝送される全てのダウンリンク信号は，同じ情報を含むものである。したがって，引用例１には，「前記各セクターに対応したサブチャネルは，同じダウンリンク（ＤＬ）データを有するものである」ことが記載されていると認められる。
　
　以上を総合すると，引用例１には以下の発明（以下，「引用発明１」という。）が記載されていると認める。
「BS1のαセクターの送受信系統との接続を確立することと，ここにおいて，前記BS1のαセクターの送受信系統との接続は，直交周波数分割多重接続（OFDMA）フレームのαセクターに割り当てられたPUSCサブチャネルによるものであり，
　BS2のγセクターの送受信系統との接続を確立することと，ここにおいて，前記BS2のγセクターの送受信系統との接続は，前記OFDMAフレームのγセクターに割り当てられたPUSCサブチャネルによるものであり，および
　前記OFDMAフレームによって区切られたPUSC領域内に前記BS1のαセクターの送受信系統との接続およびBS2のγセクターの送受信系統との接続によって前記BS1のαセクターの送受信系統およびBS2のγセクターの送受信系統とデータを交換することと，ここにおいて，前記PUSC領域は，サブチャネルにしたがって周波数領域において各セクターに対応したサブチャネルの組に分割されており，前記各セクターに対応したサブチャネルは，同じダウンリンク（ＤＬ）データを有するものであること，
　を具備するワイヤレス通信の方法。」
　
［引用発明２］
　同じく原査定の拒絶の理由に引用された国際公開第２００８／０５６４２６号（以下，「引用例２」という。）には，「移動体通信システム，移動局及び基地局」に関し，図面とともに以下の事項が記載されている。
　
（オ）「技術分野
[0001]　本発明は，ある移動局(端末)が，複数の基地局と同時に通信できる通信システム，移動局及び基地局に関するものである。
背景技術 
[0002]　ある１つの移動局(端末)が，複数の基地局と接続されている一例として，W-CDMA方式で採用されている，ソフトハンドオーバ制御が挙げられる。ソフトハンドオーバ制御による従来の移動局と複数の基地局との通信において，通信経路上のデータの分岐・合成ポイントとなる中継交換装置（基地局制御装置）を変更する際に，ソフトハンドオーバ制御のためのプロトコルの終端点を変更することにより，冗長なルーティング経路を排除するような方式が，例えば，特許文献１に開示されている。この方式は，異なる基地局制御装置に従属した基地局を移動局がまたぐ場合でも，冗長なルーティング経路とならないような方式である。」（１ページ）
　
（カ）「[0051]　移動局２による，基地局１２〜１４のリソース指定の方法は概ね以下の方法１〜方法５に大別される。  
（中略）
[0056]　方法５：移動局２が互いに異なる複数の基地局と，それぞれ異なるデータを送受する方法である。」（１２ページ）
　
（キ）「[0150]　次に，方法５について図１６を例に挙げて具体的に説明する。図１６は方法５を採用した場合の実施の形態１の移動体通信システムの使用状況を示す説明図である。
[0151]　方法１が，移動局が複数の基地局の無線リソースを選択制御するというものに対して，方法５は，移動局が複数の基地局毎に異なるデータを送信することに着目している。
[0152]　図１６は，移動局４が複数の基地局３１〜３４と同時に通信できるような移動体通信システムにおいて，移動局４が基地局３１〜３４毎に異なるデータを送受することを示したものである。基地局上位装置３は基地局３１〜３４と接続されており，基地局との接続は，無線接続でも，有線接続でも構わない。基地局３１〜３４は移動局４と無線伝送により通信を行うことができる。
[0153]　次に，方法５を採用した場合の実施の形態１の移動体通信システムの動作を説明する。図１６において，移動局４は，基地局３２，３３と同時に通信している。その際，移動局４は，基地局３２，３３それぞれと，異なったデータを送受信している。すなわち，移動局４は基地局３２に対しデータｄａｔａＢを送信し，基地局３３に対しデータｄａｔａＢと異なるデータｄａｔａＡを送信している。
[0154]　図１７は移動局４の内部構成の一部を示す説明図である。図８で示した変調部２９内の構成に相当する。以下，図１７を参照して，異なったデータを送受信する方法として，移動局４から基地局３２，３３へのデータ送信において，移動局４がOFDM方式を用いて，無線伝送する場合を説明する。
[0155]　図１６に示す構成において，基地局３１〜３４は共通のサブキャリアＳＣ０〜ＳＣ８を有している。
[0156]　そして，図１７に示すように，サブキャリアＳＣ０〜ＳＣ８は最終的にリソース選択部２５及び基地局選択部２６によって決定された使用無線リソースである。また，サブキャリアＳＣ０〜ＳＣ２及びサブキャリアＳＣ３〜ＳＣ４は，基地局選択部２６によって基地局３３及び基地局３２用のリソースとしてそれぞれ最終的に決定されている。なお，図１７において，サブキャリアＳＣ５〜ＳＣ８は他の基地局へのデータｄａｔａＣとして割り当てられた状態を示している。
[0157]　図１７で示す構成において，直列・並列変換部４１は送信用データＤ０，Ｄ１，…，Ｄ８，…を受け，サブキャリアＳＣ０〜ＳＣ８単位に直列・並列変換して，送信用データＤ０〜Ｄ８を得る。ＩＦＦＴ部４２は基地局選択部２６の選択内容に基づき高速フーリエ逆変換を行いサブキャリアＳＣ０〜ＳＣ８にデータＤ０〜Ｄ８を割り当てる。
[0158]　このように，送信用データが複数のサブキャリアＳＣ０〜ＳＣ８に対応する送信用データＤ０〜Ｄ８に分割され，さらに，データｄａｔａＡがデータＤ０〜Ｄ２となり，データｄａｔａＢがデータＤ３，Ｄ４として基地局３３及び基地局３２への送信用に割り当てられる。
[0159]　そして，並列・直列変換部４３で並列・直列変換した後，アンテナ部４４（図８のアンテナ部２１に相当）から送信する。上記のように，直列・並列変換部４１はデータ分割機能を有し，ＩＦＦＴ部４２，並列・直列変換部４３及びアンテナ部４４は複数の分割データを複数のリソースに振り分けて送信するデータ送信機能を有する。
[0160]　図１７に示すように，サブキャリアＳＣ０〜ＳＣ２をデータｄａｔａＡ(D0〜D2)伝送に用いることにより，データｄａｔａＡを基地局３３に送信することができる。そして，データｄａｔａＡ伝送で用いなかったサブキャリアＳＣ３〜ＳＣ４をデータｄａｔａＢ(D3,D4)伝送に用いることにより，データｄａｔａＢを基地局３２に送信するができる。
[0161]　その結果，実施の形態１の移動体通信システムは，方法５採用することにより，互いに異なるデータｄａｔａ及びデータｄａｔａＢを異なる基地局３３及び３２に送信することができる。
[0162]　一方，基地局３２，３３それぞれから移動局４への送信には，基地局３２，３３がシングルキャリア伝送である場合には，基地局３２，３３が，それぞれのデータを移動局４に送信し，移動局４は，OFDM方式などのマルチキャリア伝送により，基地局３２からの送信データはサブキャリアＳＣ０〜ＳＣ２で受信し，基地局３３からの送信データは，サブキャリアＳＣ３〜ＳＣ４で受信するように行えばよい。
[0163]　図１８はサブキャリアビームパターンを示すグラフである。同図に示すように，移動局４が，サブキャリアＳＣ０〜ＳＣ２を基地局３２からのデータ受信に用い，サブキャリアＳＣ３〜ＳＣ４を基地局３３からのデータ受信に用いることにより，基地局３２，３３それぞれ独立した受信が可能なる。
[0164]　その結果，移動局２と基地局３２，３３との間で同じデータを送受信する場合に比べて，より多くのデータ量を伝送することができるようになる。
[0165]　また，ある１つのデータ系列を，複数のデータに分割して，それぞれを異なる基地局に送信することもできる。
[0166]　例えば，移動局４と基地局３２との伝送路だけが悪く，うまくデータ通信ができず，移動局４が基地局３２から再送要求を受けた場合には，移動局４は，基地局３２にではなく，基地局３３を経由して，基地局３２に送るべきデータを送信することもできる。基地局３３に送信するべきデータは，すでに送信に成功しているので，データ系列を全て再送する必要が無く，分割した半分のデータ系列だけを再送するだけでよいことになるので，高速に無線上でのデータ再送をすることができるという効果を奏する。」（２８〜３０ページ）
　
（ク）「[0187]　データ量振り分け部６５，基地局からの下りデータ伝送速度の大きさを決定す。データ量振り分け部６５によるデータ量振分けは，移動局６が，複数の基地局に対して，同じデータを分割して送信する，あるいは，基地局から，移動局に対して，同じデータが分割されて送信される場合には，そのデータ量の比率を意味する。
[0188]　また，移動局６が，複数の基地局に対して，基地局毎に異なるデータを送受信する場合には，単純に，データ量振り分け部６５は基地局毎の伝送速度の大きさを決定するだけとなる。」（３３ページ）
　
（ケ）「[0236]　（中略）　図２９で示す状態の場合は，移動局８と基地局７１，移動局８と基地局７２，移動局８と基地局７３は，それぞれ，異なったデータを送受信していても良いし，同じデータを送受していても良い。」（４１〜４２ページ）
　
　上記（オ）〜（ケ）の記載及び図面並びに当業者の技術常識を考慮すると，
ｅ　上記（オ）〜（キ）の記載によれば，ある移動局（端末）が複数の基地局と同時に通信できる通信システムにおいて，OFDM方式などのマルチキャリア伝送により，基地局３２からの送信データはサブキャリアＳＣ０〜ＳＣ２で受信し，基地局３３からの送信データは，サブキャリアＳＣ３〜ＳＣ４で受信することにより，移動局が互いに異なる複数の基地局とそれぞれ異なるデータを送受することが記載されていると認められる。
　そして，上記（ク），（ケ）の記載によれば，移動局が互いに異なる複数の基地局と送受信するデータは，異なったデータでも良いし，同じデータでも良いことは明らかである。ここで，上記（オ）の記載によれば，同じデータを送受信する場合はソフトハンドオーバを意図したものであり，また，上記（キ）の記載によれば，異なるデータを送受信する場合は，同じデータを送受信する場合に比べて，より多くのデータ量を伝送することができるようになることを意図したものであることは明らかである。
　したがって，引用例２には以下の発明（以下，「引用発明２」という。）が記載されていると認める。
「１つの移動局が複数の基地局と同時に通信できるＯＦＤＭ通信システムにおいて，異なる基地局に対して異なるサブキャリアを用いることにより，ソフトハンドオーバのために複数の基地局から同じ情報を伝送する，または，より多くのデータを伝送するために複数の基地局から異なるデータを伝送する。」
　
ウ　対比・判断
　補正後の発明と引用発明１とを対比すると，
（ア）引用発明１の「BS1のαセクターの送受信系統との接続」，「BS2のγセクターの送受信系統との接続」を，それぞれ「第１の基地局と第１の接続」，「第２の基地局と第２の接続」と称することは任意である。
　そして，IEEE802.16においては，ＯＦＤＭＡのサブチャネルが３つのセグメントにセグメント化され，３つのセクターと３つのセグメントがそれぞれ対応されることが規定されており，このことは引用例１の例えば表３の「the segment number of an neighbor sector 」（［当審仮訳］：隣接セクターのセグメント番号）の記載からもみてとれる。したがって，引用発明１の各セクターに割り当てられたPUSCサブチャネルは「セグメント」といえる。
　してみると，引用発明１の「直交周波数分割多重接続（OFDMA）フレームのαセクターに割り当てられたPUSCサブチャネル」，「前記OFDMAフレームのγセクターに割り当てられたPUSCサブチャネル」を，それぞれ「直交周波数分割多重接続（OFDMA）フレームの第１のセグメント」，「前記OFDMAフレームの第２のセグメント」と称することも任意である。
　
（イ）引用発明１は，直交周波数分割多重接続（OFDMA）フレームのαセクターに割り当てられたPUSCサブチャネルによりBS1のαセクターの送受信系統との接続を確立してデータ伝送するのであるから，「前記第１の接続は，直交周波数分割多重接続（OFDMA）フレームの第１のセグメントに基づいて第１の信号を使用するデータ伝送のためのものである」ということができる。
　また，引用発明１は，直交周波数分割多重接続（OFDMA）フレームのγセクターに割り当てられたPUSCサブチャネルによりBS2のγセクターの送受信系統との接続を確立してデータ伝送するのであるから，「前記第２の接続は，前記OFDMAフレームの第２のセグメントに基づいて第２の信号を使用するデータ伝送のためのものであり」ということができる。
　
（ウ）本願明細書の【００４１】の「OFDMにおいて，DLおよびUL送信のために異なる「モード」が使用されてもよい。あるモードが使用される時間ドメインのエリアを一般にゾーンという。１つのゾーンタイプは，DL-PUSC（downlink partial usage of subchannel）ゾーン424と呼ばれ，」との記載によれば，本願発明の「前記OFDMAフレームによって区切られたある時間ドメイン内」の「ある時間ドメイン」とは，「DL-PUSCゾーン」のことであると認められる。したがって，引用発明１の「前記OFDMAフレームによって区切られたPUSC領域内」は，本願発明の「前記OFDMAフレームによって区切られたある時間ドメイン内」に相当する。
　
（エ）上記（ア）〜（ウ）のとおりであるから，引用発明１の「前記OFDMAフレームによって区切られたPUSC領域内に前記BS1のαセクターの送受信系統との接続およびBS2のγセクターの送受信系統との接続によって前記BS1のαセクターの送受信系統およびBS2のγセクターの送受信系統とデータを交換することと，ここにおいて，前記PUSC領域は，サブチャネルにしたがって周波数領域において各セクターに対応したサブチャネルの組に分割されており」は，本願発明の「前記OFDMAフレームによって区切られたある時間ドメイン内に前記第１および第２の接続によって前記第１および第２の基地局とデータを交換することと，ここにおいて，前記時間ドメインは，サブチャネルにしたがって周波数ドメインにおいて前記第１および第２のセグメントに分割されており」に相当する。そして，補正後の発明の第１および第２のセグメントは「異なるダウンリンク（ＤＬ）データを有するものであること」と，引用発明１の各セクターに対応したサブチャネルは「同じダウンリンク（ＤＬ）データを有するものであること」のみが相違する。
　
　以上を総合すると，補正後の発明と引用発明１とは，以下の点で一致し，また，相違している。
（一致点）
「第１の基地局と第１の接続を確立することと，ここにおいて，前記第１の接続は，直交周波数分割多重接続（OFDMA）フレームの第１のセグメントに基づいて第１の信号を使用するデータ伝送のためのものであり，
　第２の基地局と第２の接続を確立することと，ここにおいて，前記第２の接続は，前記OFDMAフレームの第２のセグメントに基づいて第２の信号を使用するデータ伝送のためのものであり，および
　前記OFDMAフレームによって区切られたある時間ドメイン内に前記第１および第２の接続によって前記第１および第２の基地局とデータを交換することと，ここにおいて，前記時間ドメインは，サブチャネルにしたがって周波数ドメインにおいて前記第１および第２のセグメントに分割されていること，
　を具備するワイヤレス通信の方法。」
　
（相違点）
　「第１および第２のセグメント」に関し，補正後の発明は「前記第１および第２のセグメントは，異なるダウンリンク（ＤＬ）データを有するものである」のに対し，引用発明１は「前記第１および第２のセグメントは，同じダウンリンク（ＤＬ）データを有するものである」点
　
　以下，上記相違点について検討する。
　引用発明１はソフトハンドオーバーに関するものであるが，「１つの移動局が複数の基地局と同時に通信できるＯＦＤＭ通信システムにおいて，異なる基地局に対して異なるサブキャリアを用いることにより，ソフトハンドオーバのために複数の基地局から同じ情報を伝送する，または，より多くのデータを伝送するために複数の基地局から異なるデータを伝送する。」なる引用発明２が公知であり，より多くのデータを伝送しようとすることは無線通信における一般的な課題である。してみれば，引用発明１のようなIEEE802.16eを用いるワイヤレス通信においても，引用発明２と同様に，各セクターに対応したサブチャネルが同じダウンリンク（ＤＬ）データを有することのみならず，異なるダウンリンク（ＤＬ）データを有するものとすることは，格別困難なことではなく，当業者が容易に想到し得ることである。
　
　そして，補正後の発明の作用効果も，引用発明１及び引用発明２に基づいて当業者が予測できる範囲のものである。
　
　以上のとおり，補正後の発明は，引用発明１及び引用発明２に基づいて当業者が容易に発明をすることができたものであるから，特許法第２９条第２項の規定により特許出願の際独立して特許を受けることができないものである。
　
　
３　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
　
　
第３　本願発明について
１　本願発明
　平成２５年１０月２５日付けの手続補正は上記のとおり却下されたので，本願発明は，上記「第２　補正却下の決定」の項中の「１　本願発明と補正後の発明」の項の「本願発明」のとおりのものと認める。
　
２　引用発明
　引用発明１及び引用発明２は，上記「第２　補正却下の決定」の項中の「２　補正の適否」の項中の「（２）独立特許要件」の項中の「イ　引用発明」の項で認定したとおりである。
　
３　対比・判断
　そこで，本願発明と引用発明１とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明１及び引用発明２に基づいて容易に発明できたものであるから，本願発明も同様の理由により，容易に発明できたものである。
　
４　むすび
　以上のとおり，本願発明は，引用発明１及び引用発明２に基づいて当業者が容易に発明をすることができたものであるから，特許法第２９条第２項の規定により，特許を受けることができない。
　
　よって，結論のとおり審決する。